(57)【要約】【課題】従来技術の画像処理装置を用いて、ＹＵＶ形式でカラー画像データを格納した場合、１画素づつＹＵＶ成分がセットになって格納されていたので、Ｙ成分のみが必要なモノクロプリント指示があった場合であっても、ＵＶ成分も展開せざるを得なかった。【解決手段】ビットマップメモリの上流で、ＲＧＢ成分の画像データをＹＵＶ成分の画像データに変換するとともに、ビットマップメモリには各成分ごとに保持し、これをＨＤＤに保存するときは、ＹＵＶ成分の各成分ごとに圧縮して格納することにより、Ｙ成分のみを用いるモノクロプリント指示があった場合は、Ｙ成分のみをビットマップメモリに展開して使用できるので、処理の時間が速くできる。【選択図】　　図１
2004120529.tif 000002
【特許請求の範囲】
【請求項１】
カラー原稿画像を読み取るためのスキャナ部と、このスキャナ部で読み取った信号からＲＧＢ成分の画像データを生成するＲＧＢ成分画像データ生成手段と、上記ＲＧＢ成分画像データ生成手段からのＲＧＢ成分の画像データをＹＵＶデータに変換するＹＵＶ成分画像データ生成手段と、このＹＵＶ成分の画像データを、各成分毎に一時的に記憶するビットマップメモリと、上記ビットマップメモリに一時的に記憶されたＹＵＶ成分の画像データを各成分ごとに圧縮、伸張するＣＯＤＥＣと、前記圧縮された各成分の圧縮画像データを各成分ごとに格納するＨＤＤとを有することを特徴とする画像処理装置。
【請求項２】
前記ＹＵＶ画像データ生成手段は、上記ＲＧＢ画像データ生成手段からのＲＧＢ成分の画像データをＹＵＶ成分の画像データに変換するとともにＵＶ成分は間引くことを特徴とする請求項１に記載の画像処理装置。
【請求項３】
カラー原稿画像を読み取るためのスキャナ部と、このスキャナ部で読み取った信号からＲＧＢ成分の画像データを生成するＲＧＢ成分画像データ生成手段と、上記ＲＧＢ成分画像データ生成手段からのＲＧＢ成分の画像データをＹＵＶ成分の画像データに変換するＹＵＶ成分画像データ生成手段と、このＹＵＶ成分の画像データを、各成分毎に一時的に記憶するビットマップメモリと、上記ビットマップメモリに一時的に記憶されたＹＵＶ成分の画像データを各成分ごとに圧縮、伸張するＣＯＤＥＣと、前記圧縮された各成分の圧縮画像データを各成分ごとに格納するＨＤＤと、前記ＨＤＤに格納された圧縮カラー画像データをプリントするプリンタ部と、前記ＨＤＤの格納された圧縮カラー画像データをモノクロプリントするときには、この圧縮ＹＵＶ成分カラー画像データのうち、Ｙ成分のみを伸長して前記ビットマップメモリに展開してプリントするモノクロプリント手段とを有することを特徴とする画像形成装置。
【請求項４】
前記ＹＵＶ成分画像データ生成手段は、上記ＲＧＢ画像データ生成手段からのＲＧＢ成分の画像データをＹＵＶ成分の画像データに変換するとともにＵＶ成分は間引くことを特徴とする請求項３に記載の画像形成装置。
【発明の詳細な説明】
【０００１】
【発明の属する技術分野】
本発明は画像メモリを有するカラースキャナ装置、またはカラー画像データをモノクロプリントすることのできるデジタル複写機、プリンタなどに関する。
【０００２】
【従来の技術】
従来技術を採用する画像処理装置２を用いた、カラー画像記憶方法を示すブロック図を図２に示す。カラー画像入力装置２１は、この画像処理装置に接続されたＣＣＤセンサで原稿画像を読み取りＲＧＢのデジタル信号を生成するスキャナ装置や、この画像処理装置に接続されＲＧＢのデジタル信号送信してくるＰＣなどである。一時記憶手段２２は、ＲＧＢの画像データを一時的に保持するメモリである。図中Ｒ、Ｇ、Ｂのデジタル画像データは１画素２５６階調であれば、８ビットずつがセットになって２４ビットを１つのバースト単位として保持されている。ＹＵＶ変換・ＵＶ間引き・圧縮・伸長手段２３は、ビットマップに保持されているＲＧＢ成分の画像データをＹＵＶ画像データに変換するとともにＵＶ成分を間引きし、圧縮し、長期記憶手段（ハードディスク）２４（以下ＨＤＤ２４）に、この１画素ずつがセットになったものを１バースト単位としてＹＵＶ画像データを格納する。このＹＵＶ成分を再び使用するときは、１画素（１バースト）づつ順次伸長し、ビットマップメモリ２２に展開していく。
【０００３】
【発明が解決しようとする課題】
上記従来技術のＨＤＤ２４に圧縮して格納されたＹＵＶ成分の画像データを用いてモノクロプリントする場合は、各成分を全て伸長して展開していたので、不要なデータまで展開することになり、処理時間に無駄が生じていた。本願発明はこのような問題を解決することを目的とする。
【０００４】
【課題を解決するための手段】
上記問題点を解決するために本願第１の発明は、カラー原稿画像を読み取るためのスキャナ部と、このスキャナ部で読み取った信号からＲＧＢ成分の画像データを生成するＲＧＢ成分画像データ生成手段と、上記ＲＧＢ成分画像データ生成手段からのＲＧＢ成分の画像データをＹＵＶデータに変換するＹＵＶ成分画像データ生成手段と、このＹＵＶ成分の画像データを、各成分毎に一時的に記憶するビットマップメモリと、上記ビットマップメモリに一時的に記憶されたＹＵＶ成分の画像データを各成分ごとに圧縮、伸張するＣＯＤＥＣと、前記圧縮された各成分の圧縮画像データを各成分ごとに格納するＨＤＤとを有することを特徴とする画像処理装置を用いる。
【０００５】
本願第２の発明は、前記ＹＵＶ画像データ生成手段は、上記ＲＧＢ画像データ生成手段からのＲＧＢ成分の画像データをＹＵＶ成分の画像データに変換するとともにＵＶ成分は間引くことを特徴とする第１の発明に記載の画像処理装置を用いる。
【０００６】
本願第３の発明は、カラー原稿画像を読み取るためのスキャナ部と、このスキャナ部で読み取った信号からＲＧＢ成分の画像データを生成するＲＧＢ成分画像データ生成手段と、上記ＲＧＢ成分画像データ生成手段からのＲＧＢ成分の画像データをＹＵＶ成分の画像データに変換するＹＵＶ成分画像データ生成手段と、このＹＵＶ成分の画像データを、各成分毎に一時的に記憶するビットマップメモリと、上記ビットマップメモリに一時的に記憶されたＹＵＶ成分の画像データを各成分ごとに圧縮、伸張するＣＯＤＥＣと、前記圧縮された各成分の圧縮画像データを各成分ごとに格納するＨＤＤと、前記ＨＤＤに格納された圧縮カラー画像データをプリントするプリンタ部と、前記ＨＤＤの格納された圧縮カラー画像データをモノクロプリントするときには、この圧縮ＹＵＶ成分カラー画像データのうち、Ｙ成分のみを伸長して前記ビットマップメモリに展開してプリントするモノクロプリント手段とを有することを特徴とする画像形成装置を用いる。
【０００７】
本願第４の発明は、前記ＹＵＶ成分画像データ生成手段は、上記ＲＧＢ画像データ生成手段からのＲＧＢ成分の画像データをＹＵＶ成分の画像データに変換するとともにＵＶ成分は間引くことを特徴とする第３の発明に記載の画像形成装置を用いる。
【０００８】
【作用】
本願第１の発明は、スキャナ部で読み取られたＲＧＢ成分の画像データや、ＰＣから送信されてくるＲＧＢ成分の画像データを、ＹＵＶ成分に変換するとともに、各成分ごとに圧縮して格納するので、カラー画像からモノクロ画像に変換する場合や、ＵＶ成分のみを後で間引くなどの作業の際、必要のない画像データを展開する必要がないので、処理時間を速くすることができる。
【０００９】
本願第２の発明は、第１の発明の画像処理装置において、予めＵＶ成分を間引いて格納するので、圧縮効率が良くなる。
【００１０】
本願第３の発明は、スキャナ部で読み取られたＲＧＢ成分の画像データや、ＰＣから送信されてくるＲＧＢ成分の画像データを、ＹＵＶ成分に変換するとともに、各成分ごとに圧縮して格納したものをモノクロプリントする場合は、Ｙ成分のみをビットメモリに展開するので、処理時間を速くすることができる。
【００１１】
本願第４の発明は、第１の発明の画像処理装置において、予めＵＶ成分を間引いて格納するので、圧縮効率が良くなる。
【００１２】
【実施例】
本願第１〜４の発明を採用する画像処理装置１を図１に基づいて説明する。この画像処理装置１は、カラー画像入力装置１１、ＹＵＶ変換ＵＶ間引き部１２、一時記憶手段１３（以下ビットマップメモリ１３）、ＣＯＤＥＣ１４、長期記憶手段１５（以下ＨＤＤ１５）などから構成されている。
【００１３】
カラー画像入力装置１１は、この画像処理装置１に接続されたＣＣＤセンサで原稿画像を読み取りＲＧＢのデジタル信号を生成するスキャナ装置や、この画像処理装置に接続されＲＧＢのデジタル信号送信してくるＰＣなどである。
ＹＵＶ変換ＵＶ間引き部１２は、ＲＧＢ画像データをＹＵＶ形式（Ｙの輝度（モノクロ）成分と、Ｕ、Ｖの色差成分でカラーデータを表す形式。色差成分Ｕ、Ｖは輝度成分Ｙに比べてデータが多少劣化しても、画像自体の劣化は目立たないので、色差成分Ｕ、Ｖを間引いたり、圧縮率を高く設定することができ、結果として高い圧縮率が実現できる形式である。）に変換するとともに、必要に応じてＵＶ成分を間引くための処理部である。ビットマップメモリ１３は、ＹＵＶ成分の画像データを、各成分ごとに一時的に保持するメモリである。図中Ｙ成分はそのままで、ＵＶ成分は間引かれた様子を表している。ＣＯＤＥＣ１４は、このビットマップメモリ１３に各成分ごとに一時保持されているＹＵＶ成分の画像データを、各成分ごとにＪＰＥＧなどの圧縮形式で圧縮したり、またＨＤＤ１５に格納されている画像データを伸長して、前記ビットマップメモリ１３に展開する。ＨＤＤ１５は各成分ごとにＹＵＶ成分の画像データを記憶している。図中ＨＤＤ１５を各成分の領域ごとに分割しているが、これは模式的に表現しているのであって、実際はＨＤＤ１５とこれをアドレスで管理するものからなる。
【００１４】
続いて図１をそのまま用いて本願第１、２の動作を説明する。まず、ＹＵＶ変換ＵＶ間引き部１２がＲＧＢ成分の画像を受け取ると、ＹＵＶ成分に変換するとともに、ＵＶ成分を間引き、各成分ごとにビットマップメモリ１３に展開していく。すると図中に示すように、Ｙ成分の領域にはＹ成分の画像データ、Ｕ成分の領域にはＵ成分の間引かれた画像データ、Ｖ成分の領域にはＶ成分の間引かれた画像データが保持される。続いて、このビットマップメモリ１３に保持されているＹ成分の画像データを、ＣＯＤＥＣ１４にバースト単位で送り、ＪＰＥＧ形式などに圧縮して、ＨＤＤ１５のＹ成分領域に順次格納していく。同じくＵＶ成分もＨＤＤ１５の各領域に格納していく。
【００１５】
本願第３、４の発明の画像形成装置の動作の流れをさらに説明する。ＨＤＤ１５にＹＵＶ成分の画像データを各成分ごとに圧縮、格納するまでは第１、２の発明の画像処理装置と同じである。この画像形成装置は、上記ＨＤＤに１５格納されたＹＵＶ成分の画像データを用いてモノクロプリント指示がされた場合は、ＨＤＤ１５に格納されているＹ成分の画像データのみをＣＯＤＥＣ１４で伸長してビットマップメモリ１３に展開する。このとき従来技術のように、ＵＶ成分とともに伸長せざるを得ない格納の方法ではないので、Ｙ成分のみを展開することができる。続いてこのビットマップメモリ１３のＹ成分の画像データをモノクロ成分の画像データとしてそのままプリンタ部に送ることにより、カラー画像データをモノクロ画像データとして用いることができる。
【００１６】
上記実施例では、ＵＶ成分を間引いているが、間引かなくても、モノクロプリントの効率は同等である。またＣＯＤＥＣ１４では、Ｙ成分とＵＶ成分を同一圧縮形式にしているが、ビットマップメモリ１３には間引かず展開しておき、ＣＯＤＥＣ１４で、Ｙ成分の圧縮形式をＪＢＩＧなどの可逆的な圧縮をし、ＵＶ成分をＪＰＥＧなどの高い圧縮率の圧縮形式で行っても良い。
【００１７】
【発明の効果】
本件第１の発明を用いれば、スキャナ部で読み取られたＲＧＢ成分の画像データや、ＰＣから送信されてくるＲＧＢ成分の画像データを、ＹＵＶ成分に変換するとともに、各成分ごとに圧縮して格納するので、カラー画像からモノクロ画像に変換する場合や、ＵＶ成分のみを後で間引くなどの作業の際、必要のない画像データを展開する必要がないので、処理時間を速くすることができる。
【００１８】
本願第２の発明を用いれば、第１の発明の画像処理装置において、予めＵＶ成分を間引いて格納するので、圧縮効率が良くなる。
【００１９】
本願第３の発明を用いれば、スキャナ部で読み取られたＲＧＢ成分の画像データや、ＰＣから送信されてくるＲＧＢ成分の画像データを、ＹＵＶ成分に変換するとともに、各成分ごとに圧縮して格納したものをモノクロプリントする場合は、Ｙ成分のみをビットメモリに展開するので、処理時間を速くすることができる。
【００２０】
本願第４の発明を用いれば、第１の発明の画像処理装置において、予めＵＶ成分を間引いて格納するので、圧縮効率が良くなる。
【図面の簡単な説明】
【図１】本願発明を採用する画像処理装置のブロック図である。
【図２】従来技術を採用する画像処理装置のブロック図である。
【符号の説明】
１；画像処理装置
１１；カラー画像入力装置
１２；画像処理前装置
１３；ビットマップメモリ
１４；ＣＯＤＥＣ
１５；ＨＤＤ
【図１】
2004120529.tif 000003
【図２】
2004120529.tif 000004